(57)【要約】【課題】構図に優れた撮影画像を取得できる可能性を高めることが可能な技術を提供する。【解決手段】撮像装置１Ａは、副撮像素子７によって取得される補助画像から特定被写体を検出する特定被写体検出部１２３と、補助画像における特定被写体の存在位置を取得する存在位置取得部１２４と、特定被写体の存在位置に基づいて、特定被写体を主被写体とした場合に推奨される推奨構図を特定する推奨構図特定部１２５と、推奨構図をユーザに知らせる所定動作の実行指示を行う指示制御部１２６とを備える。【選択図】図５
2010213030.tif 000002
【特許請求の範囲】
【請求項１】
被写体像に関する撮影画像を取得する撮像素子と、
前記撮影画像から特定被写体を検出する被写体検出手段と、
前記撮影画像における前記特定被写体の存在位置を取得する位置取得手段と、
前記特定被写体の存在位置に基づいて、前記特定被写体を主被写体とした場合に推奨される推奨構図を特定する構図特定手段と、
前記推奨構図をユーザに知らせる所定動作の実行指示を行う指示制御手段と、
を備える撮像装置。
【請求項２】
前記撮像装置の姿勢を検知する姿勢検知手段、
をさらに備え、
前記構図特定手段は、
前記撮像装置の姿勢および前記特定被写体の存在位置に基づいて、推奨される当該撮像装置の推奨保持方向を特定し、
前記指示制御手段は、
前記推奨保持方向をユーザに知らせる前記所定動作の実行指示を行う請求項１に記載の撮像装置。
【請求項３】
前記撮像素子で順次に取得される前記撮影画像に基づいて、表示部にライブビュー画像を表示させる表示制御手段、
をさらに備え、
前記表示制御手段は、前記指示制御手段による前記所定動作の実行指示を受けて、前記推奨保持方向を示す表示を前記ライブビュー画像に合成して表示させる請求項２に記載の撮像装置。
【請求項４】
前記構図特定手段は、
前記特定被写体の存在位置に基づいて、前記撮影画像における前記特定被写体の推奨存在領域をさらに特定し、
前記指示制御手段は、
前記推奨存在領域をユーザに知らせる前記所定動作の実行指示をさらに行う請求項２に記載の撮像装置。
【請求項５】
前記特定被写体の存在位置に基づいて、現在の構図が前記推奨構図と一致するか否かを判定する構図判定手段、
をさらに備え、
前記指示制御手段は、前記構図判定手段によって前記現在の構図が前記推奨構図と一致しないと判定された場合、前記所定動作の実行指示を行い、前記構図判定手段によって前記現在の構図が前記推奨構図と一致すると判定された場合、前記所定動作の実行指示を行わない請求項１に記載の撮像装置。
【請求項６】
前記撮像装置の姿勢を検知する姿勢検知手段、
をさらに備え、
前記構図特定手段は、
前記撮像装置の姿勢および前記特定被写体の存在位置に基づいて、推奨される当該撮像装置の推奨保持方向を特定し、
前記構図判定手段は、
前記撮像装置の姿勢を実現する現在の保持方向が、前記推奨保持方向と一致するか否かを判定し、
前記指示制御手段は、
前記構図判定手段によって前記現在の保持方向が前記推奨保持方向と一致しないと判定された場合、前記推奨保持方向をユーザに知らせる前記所定動作の実行指示を行い、前記構図判定手段によって前記現在の保持方向が前記推奨保持方向と一致すると判定された場合、前記推奨保持方向をユーザに知らせる前記所定動作の実行指示を行わない請求項５に記載の撮像装置。
【請求項７】
前記構図特定手段は、
前記特定被写体の存在位置に基づいて、前記撮影画像における前記特定被写体の推奨存在領域を特定し、
前記指示制御手段は、
前記推奨存在領域をユーザに知らせる前記所定動作の実行指示を行う請求項１に記載の撮像装置。
【請求項８】
前記撮像素子で順次に取得される前記撮影画像に基づいて、表示部にライブビュー画像を表示させる表示制御手段、
をさらに備え、
前記表示制御手段は、前記指示制御手段による前記所定動作の実行指示を受けて、前記推奨存在領域を示す表示を前記ライブビュー画像に合成して表示させる請求項７に記載の撮像装置。
【請求項９】
前記構図特定手段は、
前記特定被写体の存在位置に基づいて、前記撮影画像における前記特定被写体の推奨存在領域を特定し、
前記構図判定手段は、
前記特定被写体が、前記推奨存在領域に存在するか否かを判定し、
前記指示制御手段は、
前記構図判定手段によって前記特定被写体が前記推奨存在領域に存在しないと判定された場合、前記推奨存在領域をユーザに知らせる前記所定動作の実行指示を行い、前記構図判定手段によって前記特定被写体が前記推奨存在領域に存在すると判定された場合、前記推奨存在領域をユーザに知らせる前記所定動作の実行指示を行わない請求項５に記載の撮像装置。
【請求項１０】
前記特定被写体は、人物の顔である請求項１に記載の撮像装置。
【請求項１１】
ａ）撮像素子で被写体像に関する撮影画像を取得する工程と、
ｂ）前記撮影画像から特定被写体を検出する工程と、
ｃ）前記撮影画像における前記特定被写体の存在位置を取得する工程と、
ｄ）前記特定被写体の存在位置に基づいて、前記特定被写体を主被写体とした場合に推奨される推奨構図を特定する工程と、
ｅ）前記推奨構図をユーザに知らせる所定動作の実行指示を行う工程と、
を備える撮像装置の制御方法。
【請求項１２】
撮像装置に内蔵されたコンピュータに、
ａ）撮像素子で被写体像に関する撮影画像を取得する工程と、
ｂ）前記撮影画像から特定被写体を検出する工程と、
ｃ）前記撮影画像における前記特定被写体の存在位置を取得する工程と、
ｄ）前記特定被写体の存在位置に基づいて、前記特定被写体を主被写体とした場合に推奨される推奨構図を特定する工程と、
ｅ）前記推奨構図をユーザに知らせる所定動作の実行指示を行う工程と、
を実行させるプログラム。
【発明の詳細な説明】
【技術分野】
【０００１】
本発明は、撮影の際の構図を改善する技術に関する。
【背景技術】
【０００２】
近年、撮像装置では、本撮影前に取得される撮影画像の中から特定被写体を検出し、検出した特定被写体を利用して本撮影を行う技術が提案されている。
【０００３】
例えば、特許文献１では、本撮影前の撮影画像から特定被写体として人の顔（顔領域）を検出し、検出された顔が複数であった場合に、撮影領域における各顔の存在位置に基づいて、検出された複数の顔の中からユーザが主被写体として意図する人物の顔を選択する技術が記載されている。
【先行技術文献】
【特許文献】
【０００４】
【特許文献１】特開２００８−２１９８７４号公報
【発明の概要】
【発明が解決しようとする課題】
【０００５】
しかしながら、特許文献１に記載の技術では、選択された主被写体から得られる撮影情報を用いて撮影動作が実行されるが、撮影領域における特定被写体の存在位置を考慮して構図に優れた撮影画像を取得することができなかった。
【０００６】
そこで、本発明は、構図に優れた撮影画像を取得できる可能性を高めることが可能な技術を提供することを目的とする。
【課題を解決するための手段】
【０００７】
本発明は、撮像装置であって、被写体像に関する撮影画像を取得する撮像素子と、前記撮影画像から特定被写体を検出する被写体検出手段と、前記撮影画像における前記特定被写体の存在位置を取得する位置取得手段と、前記特定被写体の存在位置に基づいて、前記特定被写体を主被写体とした場合に推奨される推奨構図を特定する構図特定手段と、前記推奨構図をユーザに知らせる所定動作の実行指示を行う指示制御手段とを備える。
【発明の効果】
【０００８】
本発明によれば、構図に優れた撮影画像を取得できる可能性が高くなる。
【図面の簡単な説明】
【０００９】
【図１】本発明の第１実施形態に係る撮像装置の外観構成を示す図である。
【図２】本発明の第１実施形態に係る撮像装置の外観構成を示す図である。
【図３】第１実施形態に係る撮像装置の縦断面図である。
【図４】第１実施形態に係る撮像装置の縦断面図である。
【図５】第１実施形態に係る撮像装置の機能構成を示すブロック図である。
【図６】特定被写体としての顔領域を含む補助画像を示す図である。
【図７】黄金分割構図を示す図である。
【図８】補助画像上において推奨候補領域を仮想的に示した図である。
【図９】三分割構図を示す図である。
【図１０】二分割構図を示す図である。
【図１１】斜め二分割構図を示す図である。
【図１２】撮像装置を縦位置に構えた際の黄金分割構図を示す図である。
【図１３】ライブビュー画像における表示の一態様を示す図である。
【図１４】第１実施形態に係る撮像装置の動作を示すフローチャートである。
【図１５】顔領域を含む補助画像を示す図である。
【図１６】顔領域を含む補助画像を示す図である。
【図１７】ライブビュー画像における表示の一態様を示す図である。
【図１８】ライブビュー画像における表示の一態様を示す図である。
【図１９】第２実施形態に係る撮像装置の動作を示すフローチャートである。
【図２０】撮像装置の機能構成を示すブロック図である。
【図２１】顔領域を含む補助画像を示す図である。
【図２２】顔領域を含む補助画像を示す図である。
【図２３】顔領域を含む補助画像を示す図である。
【図２４】顔領域を含む補助画像を示す図である。
【図２５】ライブビュー画像における表示の一態様を示す図である。
【図２６】第３実施形態に係る撮像装置の動作を示すフローチャートである。
【図２７】第４実施形態に係る撮像装置の動作を示すフローチャートである。
【図２８】ライブビュー画像における表示の一態様を示す図である。
【図２９】第５実施形態に係る撮像装置の動作を示すフローチャートである。
【図３０】第６実施形態に係る撮像装置の動作を示すフローチャートである。
【図３１】補助画像上において推奨候補領域を仮想的に示した図である。
【図３２】ライブビュー画像における表示の一態様を示す図である。
【図３３】補助画像上において測距エリアを仮想的に示した図である。
【発明を実施するための形態】
【００１０】
以下、本発明の実施形態について図面を参照して説明する。
【００１１】
＜１．第１実施形態＞
［１−１．構成］
図１および図２は、本発明の第１実施形態に係る撮像装置１Ａの外観構成を示す図である。ここで、図１は、撮像装置１Ａの正面外観図であり、図２は、撮像装置１Ａの背面外観図である。この撮像装置１Ａは、レンズ交換式一眼レフレックスタイプのデジタルカメラとして構成されている。
【００１２】
図１に示すように、撮像装置１Ａは、カメラ本体部（カメラボディ）２を備えている。このカメラ本体部２に対して、交換式の撮影レンズユニット（交換レンズ）３が着脱可能である。
【００１３】
撮影レンズユニット３は、主として、鏡胴１３、ならびに、鏡胴１３の内部に設けられるレンズ群３７（図３参照）及び絞り（不図示）等によって構成される。レンズ群３７には、光軸方向に移動することによって焦点位置を変更するフォーカスレンズ等が含まれている。
【００１４】
カメラ本体部２は、撮影レンズユニット３が装着される円環状のマウント部Ｍｔを正面略中央に備え、撮影レンズユニット３を着脱するための着脱ボタン８９を円環状のマウント部Ｍｔ付近に備えている。
【００１５】
また、カメラ本体部２は、その正面左上部にモード設定ダイアル８２を備え、その正面右上部に制御値設定ダイアル８６を備えている。モード設定ダイアル８２を操作することによって、カメラの各種モード（各種撮影モード（人物撮影モード、風景撮影モード、および連続撮影モード等）、撮影した画像を再生する再生モード、および外部機器との間でデータ交信を行う通信モード等を含む）の設定動作（切替動作）を行うことが可能である。また、制御値設定ダイアル８６を操作することによれば、各種撮影モードにおける制御値を設定することが可能である。
【００１６】
また、カメラ本体部２は、正面左端部に撮影者が把持するためのグリップ部１４を備えている。グリップ部１４の上面には露光開始を指示するためのレリーズボタン１１が設けられている。グリップ部１４の内部には電池収納室とカード収納室とが設けられている。電池収納室にはカメラの電源として、例えば４本の単３形乾電池が収納されており、カード収納室には撮影画像の画像データを記録するためのメモリカード９０（図５参照）が着脱可能に収納されるようになっている。
【００１７】
レリーズボタン１１は、半押し状態（Ｓ１状態）と全押し状態（Ｓ２状態）の２つの状態を検出可能な２段階検出ボタンである。レリーズボタン１１が半押しされＳ１状態になると、被写体に関する記録用静止画像（本撮影画像）を取得するための準備動作（例えば、ＡＦ制御動作およびＡＥ制御動作等）が行われる。また、レリーズボタン１１がさらに押し込まれてＳ２状態になると、当該本撮影画像の撮影動作（撮像素子（または「主撮像素子」とも称する）５（後述）を用いて被写体像に関する露光動作を行い、その露光動作によって得られた画像信号に所定の画像処理を施す一連の動作）が行われる。
【００１８】
図２において、カメラ本体部２の背面の略中央には、モニタ１２が設けられている。モニタ１２は、例えばカラー液晶ディスプレイ（ＬＣＤ）として構成される。モニタ１２は、撮影条件等を設定するためのメニュー画面を表示したり、再生モードにおいてメモリカード９０に記録された撮影画像を再生表示したりすることができる。
【００１９】
カメラ本体部２の背面略中央上部には、ファインダ窓１０が設けられている。ファインダ窓１０には、撮影レンズユニット３からの被写体像が導かれ、撮影者は、ファインダ窓１０を覗くことによって、主撮像素子５によって取得される被写体像と等価な像を視認することができる。具体的には、撮影光学系に入射された被写体像は、ミラー機構６(図３参照)で上方に反射され、接眼レンズ６７を介して視認される。このように、撮影者は、ファインダ窓１０を覗くことによって構図決めを行うことが可能である。なお、レリーズボタン１１のＳ２状態の検出によって本撮影画像の撮影動作が開始されると、ミラー機構６は被写体像を形成する光の光路から待避し、撮影レンズユニット３からの光（被写体像を形成する光）が主撮像素子５に到達し、被写体に係る撮影画像（画像データ）が得られる。
【００２０】
モニタ１２の左上部にはメインスイッチ８１が設けられている。メインスイッチ８１は、２点のスライドスイッチからなり、接点を左方の「ＯＦＦ」位置に設定すると、撮像装置１Ａの電源がオフになり、接点を右方の「ＯＮ」位置に設定すると、撮像装置１Ａの電源がオンになる。
【００２１】
モニタ１２の右側には方向選択キー８４と表示切替スイッチ９とが設けられている。方向選択キー８４は、円形の操作ボタンを有し、この操作ボタンにおける上下左右の４方向の押圧操作と、右上、左上、右下及び左下の４方向の押圧操作とが、それぞれ検出されるようになっている。当該方向選択キー８４は、例えば、メニュー画面上でのメニュー操作に用いられる。また、方向選択キー８４は、上記８方向の押圧操作とは別に、中央部のプッシュボタンの押圧操作も検出されるようになっている。
【００２２】
表示切替スイッチ９は、３点のスライドスイッチからなる。表示切替スイッチ９の接点が上段の「光学」位置に設定されるとＯＶＦモードが選択され、光学ファインダ視野内に被写体像が表示される。これにより、撮影者は、ファインダ窓１０を介して光学ファインダ視野内の表示を視認して、構図決め操作（「フレーミング」とも称する）を行うことが可能になる。
【００２３】
また、表示切替スイッチ９の接点が下段の「液晶」位置に設定されるとＥＶＦモード（後述）が選択され、モニタ１２において被写体像に係るライブビュー画像が動画的態様にて表示される。これにより、撮影者は、モニタ１２に表示されるライブビュー画像を視認することによって、フレーミングを行うことが可能になる。
【００２４】
また、表示切替スイッチ９の接点が中段の「自動」位置に設定されると、ファインダ窓１０への接眼の有無に応じて、光学ファインダ視野内の表示とライブビュー画像とが自動的に切り替えられる。これにより、撮影者は、光学ファインダ視野内の表示、或いはライブビュー画像のいずれかを視認することによって、フレーミングを行うことが可能となる。
【００２５】
モニタ１２の左側には、メニュー画面の設定、画像の削除などを行うための複数のボタンからなる設定ボタン群８３が設けられている。
【００２６】
次に、撮像装置１Ａの内部構成について説明する。図３および図４は、第１実施形態に係る撮像装置１Ａの縦断面図である。
【００２７】
図３に示すように、撮像装置１Ａの内部には、ファインダ部１０２（ファインダ光学系）、ミラー機構６、位相差ＡＦモジュール（以下、単にＡＦモジュールとも称する）２０、シャッタ４、主撮像素子５および副撮像素子７などが備えられている。
【００２８】
主撮像素子（ここではＣＣＤセンサ（単にＣＣＤとも称する））５は、撮影レンズユニット３が備えているレンズ群３７の光軸Ｌ上において、光軸Ｌに対して垂直な平面内に配置される。主撮像素子５は、その撮像面で受光された被写体像を光電変換作用により電気的信号に変換して、本撮影画像に係る画像信号を生成する。
【００２９】
また、主撮像素子５の直前には、シャッタ４が配置されている。このシャッタ４は、上下方向に移動する幕体を備え、光軸Ｌに沿って主撮像素子５に導かれる被写体光の光路開口動作及び光路遮断動作を行うメカニカルフォーカルプレーンシャッタである。
【００３０】
上記の光軸Ｌ上において、被写体光をファインダ部１０２へ向けて反射する位置には、ミラー機構６（反射板）が配置されている。撮影レンズユニット３を通過した被写体光は、ミラー機構６（後述の主ミラー６１）によって上方へ反射され、焦点板６３（ピントグラス）に結像される。
【００３１】
ファインダ部１０２は、ペンタミラー６５とハーフミラー６８と接眼レンズ６７と副撮像素子７とファインダ窓１０とを備えている。ペンタミラー６５は、反射によって被写体像の天地左右を入れ替えて正立像にする。ハーフミラー６８は、ペンタミラー６５と接眼レンズ６７との間に配置され、被写体光を分離（分岐）させる。分離された一方の被写体光は、接眼レンズ６７と副撮像素子７とにそれぞれ導かれる。接眼レンズ６７は、分離された被写体光をファインダ窓１０の外側に導く。これにより、撮影者は、ファインダ窓１０を介して被写体像を視認することが可能になる。このように、ファインダ部１０２は、撮影待機時において被写界を確認するための光学ファインダ（ＯＶＦ）として機能する。
【００３２】
また、副撮像素子７は、分離された他方の被写体光を受光し、被写体像に係る撮影画像を順次に取得する。取得された撮影画像は、モニタ１２に動画的態様にて順次に表示（ライブビュー表示）される。このように、ファインダ窓１０から視認可能な被写体像は、副撮像素子７によって取得され、撮影者は、モニタ１２において被写体像に関するライブビュー画像を視認することが可能となる。
【００３３】
ミラー機構６は、主ミラー６１とサブミラー６２とから構成されており、主ミラー６１の背面側において、サブミラー６２が主ミラー６１の背面に向けて倒れるように回動可能に設けられている。主ミラー６１は、例えばハーフミラーとして構成され、被写体光の一部を透過させる。主ミラー６１を透過した被写体光の一部はサブミラー６２によって反射され、ＡＦモジュール２０に入射される。
【００３４】
上記のミラー機構６は、所謂クイックリターンミラーとして構成されており、レリーズボタン１１のＳ２状態が検出された露光時には上方に向けて跳ね上がり、焦点板６３の下方位置で停止する（図４参照）。これにより、撮影レンズユニット３からの被写体光がミラー機構６によって遮られることなく主撮像素子５上に届き、当該主撮像素子５が露光される。露光が終了すると、ミラー機構６は元の位置（図３に示す位置）に復帰する。
【００３５】
ＡＦモジュール２０は、被写体のピント情報を検出する測距素子等からなる所謂ＡＦセンサとして構成されている。具体的には、ＡＦモジュール２０は、撮影領域に設定された測距エリア（「フォーカスエリア」または「ＡＦエリア」とも称する）における被写体からの光（詳細にはミラー機構６を介して進入してきた光）を受光して、被写体像の合焦度合いに応じた位相差検出信号を出力する位相差検出機能を有している。
【００３６】
［１−２．機能ブロック］
次に、撮像装置１Ａの機能の概要について説明する。図５は、第１実施形態に係る撮像装置１Ａの機能構成を示すブロック図である。図６は、特定被写体としての顔領域を含む補助画像ＨＧを示す図である。図７は、黄金分割構図を示す図である。図８は、補助画像ＨＧ上において推奨候補領域を仮想的に示した図である。図９は、三分割構図を示す図である。図１０は、二分割構図を示す図である。図１１は、斜め二分割構図を示す図である。図１２は、撮像装置１Ａを縦位置に構えた際の黄金分割構図を示す図である。図１３は、ライブビュー画像における表示の一態様を示す図である。
【００３７】
図５に示すように、撮像装置１Ａは、位相差ＡＦモジュール２０、操作部８０、全体制御部１０１，ミラー機構６，シャッタ４，主撮像素子５，Ａ／Ｄ変換回路５２，デジタル信号処理回路５０および画像メモリ５６等を備える。
【００３８】
操作部８０は、レリーズボタン１１（図１参照）を含む各種ボタンおよびスイッチ等を備えて構成される。操作部８０に対するユーザの入力操作に応答して、全体制御部１０１が各種動作を実現する。
【００３９】
主撮像素子５は、タイミング制御回路（不図示）から入力される駆動制御信号（蓄積開始信号および蓄積終了信号）に応答して、受光面（撮像面）に結像された被写体像の露光（光電変換による電荷蓄積）を行い、当該被写体像に係る画像信号を生成する。
【００４０】
また、副撮像素子７は、基本的には主撮像素子５と同様の機能を有し、ファインダ光学系に導かれた被写体像の露光を行い、ライブビュー表示用の画像に関する画像信号を取得する。
【００４１】
主撮像素子５で取得された画像信号（アナログ信号）は、Ａ／Ｄ変換回路５２によってデジタル信号に変換される。デジタル信号に変換された画像信号は、デジタル信号処理回路５０に入力される。
【００４２】
デジタル信号処理回路５０は、Ａ／Ｄ変換回路５２から入力される画像信号に対してデジタル信号処理を施す。具体的には、黒レベル補正処理、ホワイトバランス（ＷＢ）処理、γ補正処理等の信号処理を行う。当該信号処理後の画像信号（画像データ）は、画像メモリ５６に格納される。
【００４３】
画像メモリ５６は、生成された画像データを一時的に記憶するための、高速アクセス可能な画像メモリであり、複数フレーム分の画像データを記憶可能な容量を有する。
【００４４】
本撮影時には、画像メモリ５６に一時記憶される画像データは、全体制御部１０１において適宜画像処理（圧縮処理等）が施された後、メモリカード９０に記憶される。
【００４５】
また、副撮像素子７によって取得された画像データは、Ａ／Ｄ変換回路５２およびデジタル信号処理回路５０において所定の処理が実行され画像メモリ５６に一旦記憶された後、モニタ１２に表示される。
【００４６】
全体制御部１０１は、マイクロコンピュータとして構成され、主にＣＰＵ，メモリおよびＲＯＭ等を備える。全体制御部１０１は、ＲＯＭ内に格納されるプログラムを読み出し、当該プログラムをＣＰＵで実行することによって、各種機能を実現する。
【００４７】
全体制御部１０１は、上述のプログラムの実行によって、位相差ＡＦ制御部１２１、駆動制御部１２２、特定被写体検出部１２３、存在位置取得部１２４、推奨構図特定部１２５、指示制御部１２６、表示制御部１２７、ミラー制御部１２８および構図判定部１２９等を機能的に実現する。
【００４８】
位相差ＡＦ制御部１２１は、位相差方式による自動合焦（ＡＦ）動作（位相差ＡＦ動作）を行う。具体的には、位相差ＡＦ制御部１２１は、ＡＦモジュール２０から出力される位相差検出信号に基づいて、合焦時の撮影レンズ（より詳細にはフォーカスレンズ）の位置（レンズ合焦位置）を特定するレンズ合焦位置特定動作を行う。
【００４９】
また、位相差ＡＦ制御部１２１は、駆動制御部１２２と協働して、当該レンズ合焦位置に撮影レンズ（フォーカスレンズ）を移動するレンズ駆動動作をも実行する。具体的には、位相差ＡＦ制御部１２１は、駆動制御部１２２を介して撮影レンズユニット３のレンズ側制御部３１に制御信号を伝達し、レンズ駆動部３８を駆動させ、撮影レンズユニット３のレンズ群３７に含まれるフォーカスレンズをその光軸方向において移動させる。また、フォーカスレンズの位置は、撮影レンズユニット３のレンズ位置検出部３９によって検出され、フォーカスレンズの位置を示すデータがレンズ側制御部３１から本体側の全体制御部１０１に送られる。
【００５０】
特定被写体検出部１２３は、副撮像素子７によって取得された撮影画像（「補助画像」とも称する）ＨＧの中から、特定被写体を検出する。ここでは、人物の顔（「被写体の顔」または単に「顔領域」とも称する）が特定被写体として補助画像ＨＧから検出される場合について例示する。顔領域の検出手法としては、例えば、補助画像ＨＧにおける各画素の画素値に基づいて、画像の肌色部分を抽出し、この肌色部分の面積が予め設定された閾値以上であった場合に、その肌色部分を人物の顔として検出する手法を採用してもよい。或いは、周知のパターン認識技術を用いて、目および／または口などの顔の特定部分（パーツ）を抽出することで、人物の顔を検出する手法を採用してもよい。
【００５１】
また、特定被写体検出部１２３は、検出された顔の向きをも特定する。顔の向きとしては、左向き、右向きおよび正面向きの三方向が特定可能となっている。顔向きの特定手法としては、例えば、各々の顔向きに対応した複数の顔モデルを参照データとしてＲＯＭに予め記憶し、検出された顔の向きが、どの向きの顔モデルに類似するかに基づいて、検出された顔の向きを判定する手法が採用される。
【００５２】
なお、特定被写体検出部１２３による顔領域の検出および顔向きの検出は、ＥＶＦモードにおいて、メニュー画面上でのメニュー操作により顔検出機能が有効化された場合に実行される。
【００５３】
存在位置取得部１２４は、特定被写体検出部１２３により補助画像ＨＧから検出された特定被写体（ここでは顔）の存在位置を取得する。具体的には、図６に示されるように、存在位置取得部１２４は、検出された顔領域に対して当該顔領域を囲む矩形の顔枠ＷＫを設定し、設定された顔枠ＷＫの中心位置ＣＰを特定する。そして、撮影画像の左下を原点Ｏとした場合の撮影画像における中心位置ＣＰの座標を特定被写体の現在の存在位置（「現在位置」とも称する）として取得する。
【００５４】
推奨構図特定部１２５は、特定被写体の存在位置に基づいて、特定被写体を主被写体とした場合に推奨される被写体の構図（「推奨構図」とも称する）を特定する。本実施形態の推奨構図特定部１２５は、撮影画像において主被写体の存在が望まれる領域（「推奨候補領域」とも称する）の中から、特定被写体の配置位置として推奨される領域（「推奨存在領域」または「推奨領域」とも称する）を選択することによって、推奨構図を特定する。
【００５５】
具体的には、図７に示されるように、黄金比（約１：１．６１８）に基づいて撮影領域を分割した黄金分割構図において、分割線ＢＬの交点ＲＰを含む領域であり、かつ撮影画像において主被写体となる顔の分布統計に基づいて設定される領域が、推奨候補領域ＫＲ１〜ＫＲ４（斜線ハッチング領域）として設定されている場合を想定して説明する。この場合、図８に示されるような位置において特定被写体としての顔領域が検出されたときは、推奨構図特定部１２５は、顔領域の中心位置ＣＰに対して最も近い位置に存在する推奨候補領域ＫＲ１を推奨存在領域ＧＲとして選択する。
【００５６】
なお、推奨候補領域ＫＲは、図９に示される三分割構図、図１０に示される二分割構図、または図１１に示される斜め二分割構図に基づいて設定される領域であってもよい。また、撮像装置１Ａが縦位置に構えられている場合、推奨候補領域ＫＲは、図１２に示される縦方向の黄金分割構図に基づいて設定される。
【００５７】
指示制御部１２６は、推奨構図特定部１２５によって特定された推奨構図を、ユーザに知らせる所定動作の実行指示を行う。具体的には、図８に示されるように、推奨候補領域ＫＲ１が推奨存在領域ＧＲとして選択された場合、指示制御部１２６は、当該推奨存在領域ＧＲをユーザに知らせる表示動作の実行指示を表示制御部１２７に対して行う。
【００５８】
表示制御部１２７は、モニタ１２などの表示部における表示内容を制御する。具体的には、表示制御部１２７は、副撮像素子７によって順次に取得される撮影画像に基づいて、モニタ１２にライブビュー画像ＬＧを表示させる。
【００５９】
また、表示制御部１２７は、付加表示をライブビュー画像に合成して表示させる機能も有している。具体的には、図１３に示されるように、表示制御部１２７は、検出された顔領域を囲む顔枠ＷＫをライブビュー画像に合成して表示させる。またさらに、表示制御部１２７は、指示制御部１２６からの実行指示を受けて、推奨存在領域ＧＲを示す表示をライブビュー画像に合成して表示させる。例えば、推奨候補領域ＫＲ１が推奨存在領域ＧＲとして選択された場合、図１３に示されるように、表示制御部１２７は、推奨存在領域ＧＲを示す表示ＨＲ１をライブビュー画像ＬＧに合成して表示させる。
【００６０】
ミラー制御部１２８は、ミラー機構６が光路から退避した状態（ミラーアップ状態）とミラー機構６が光路を遮断した状態（ミラーダウン状態）との状態切替を制御する。ミラー制御部１２８は、ミラー切り替え用モータ（不図示）を駆動制御することによって、ミラーアップ状態とミラーダウン状態とを切り替える。
【００６１】
構図判定部１２９は、現在の被写体の構図（「現在の構図」または「現在構図」とも称する）が推奨構図と合致（一致）するか否かを判定する機能を有している。具体的には、構図判定部１２９は、特定被写体としての顔領域の存在位置に基づいて、当該顔領域が推奨存在領域ＧＲに存在するか否かを判定する。顔領域が推奨存在領域ＧＲに存在するか否かの判定は、顔領域の存在位置、すなわち顔領域の中心位置ＣＰの座標と推奨存在領域ＧＲに含まれる各画素の座標とを比較することによって、顔領域の中心位置ＣＰが推奨存在領域ＧＲに含まれるか否かに基づいて行われる。なお、撮影画像における各推奨候補領域ＫＲの存在範囲は、推奨候補領域ＫＲごとに予め取得されており、撮影画像における推奨存在領域ＧＲの存在範囲は、対応する推奨候補領域ＫＲの存在範囲に基づいて特定可能となっている。
【００６２】
［１−３．動作］
次に、顔検出機能が有効化されている場合の撮像装置１Ａの動作について説明する。図１４は、撮像装置１Ａの動作を示すフローチャートである。図１５および図１６は、顔領域を含む補助画像ＨＧを示す図である。図１７および図１８は、ライブビュー画像における表示の一態様を示す図である。
【００６３】
具体的には、図１４に示されるように、まず、ステップＳＰ１１では、ＥＶＦモードが選択されているか否かが判断される。ＥＶＦモードが選択されていない場合（ＯＶＦモードが選択されている場合）は、動作工程は、ステップＳＰ２１に移行され、ＯＶＦモードでの通常の撮影動作が実行される。一方、ＥＶＦモードが選択されている場合は、動作工程は、ステップＳＰ１２に移行される。
【００６４】
ステップＳＰ１２では、副撮像素子７によって補助画像が取得される。
【００６５】
そして、ステップＳＰ１３では、特定被写体検出部１２３において顔検出動作が実行され、補助画像の中から人物の顔（顔領域）が特定被写体として検出される。
【００６６】
ステップＳＰ１４では、補助画像から顔領域が検出されたか否かが判定され、顔領域が検出されなかった場合は、動作工程は、ステップＳＰ２１に移行され、通常の撮影動作が実行される。一方、顔領域が検出された場合は、動作工程は、ステップＳＰ１５に移行される。
【００６７】
ステップＳＰ１５では、特定被写体検出部１２３によって顔の向きが特定される。
【００６８】
ステップＳＰ１６では、存在位置取得部１２４によって、現在の顔の存在位置が取得される。
【００６９】
ステップＳＰ１７では、推奨構図特定部１２５によって、顔の向きおよび顔の存在位置に基づいて、検出された顔の配置位置として推奨される領域（推奨存在領域）が特定される。
【００７０】
具体的には、検出された顔が正面向きであった場合は、顔の存在位置に最も近い位置に存在する推奨候補領域ＫＲが推奨存在領域ＧＲとして特定される（図８参照）。
【００７１】
また、検出された顔が左向き或いは右向きであった場合は、顔の位置を基準にして顔の向く方向の空間（スペース）を反対側の空間よりも大きくする推奨候補領域ＫＲが推奨存在領域ＧＲとして特定される。例えば、図１５に示されるように、撮影画像中の顔が当該撮影画像に向かって右に向いていた場合、顔領域の中心位置ＣＰを基準にして右側の空間を左側の空間よりも大きくする推奨候補領域ＫＲ１が推奨存在領域ＧＲとして特定される。また、図１６に示されるように、撮影画像において顔が左に向いていた場合、顔領域の中心位置ＣＰを基準にして左側の空間を右側の空間よりも大きくするような推奨候補領域ＫＲ２が推奨存在領域ＧＲとして特定される。
【００７２】
ステップＳＰ１８では、指示制御部１２６からの指令に応じて、表示制御部１２７によって推奨存在領域ＧＲを示す表示ＨＲ１がライブビュー画像に合成して表示される（図１３参照）。これにより、ユーザは、モニタ１２を視認することによって、顔の推奨される配置位置（「推奨位置」とも称する）を把握することが可能になる。また、ステップＳＰ１８では、図１７に示されるように、推奨存在領域ＧＲを示す表示ＨＲ１に加えて、構図変更を促す表示ＨＫもライブビュー画像ＬＧに合成して表示してもよい。
【００７３】
ステップＳＰ１９では、構図判定部１２９によって現在の構図が推奨構図と一致するか否か、すなわち顔が推奨存在領域ＧＲに存在するか否かが判定される。図１８に示されるように、顔が推奨存在領域ＧＲに存在すると判定された場合は、動作工程はステップＳＰ２０に移行される。ステップＳＰ２０では、指示制御部１２６からの指令に応じて、表示制御部１２７によって撮影を促す表示（「撮影指示表示」とも称する）ＨＳがライブビュー画像ＬＧに合成して表示される（図１８参照）。
【００７４】
一方、顔が推奨存在領域ＧＲに存在しないと判定された場合は、動作工程はステップＳＰ２１に移行される。
【００７５】
次のステップＳＰ２１では、レリーズボタン１１の押下状態に基づいて本撮影動作を開始するか否かが判定される。レリーズボタン１１の全押し状態が検出されない場合は、動作工程はステップＳＰ１１に移行され、レリーズボタン１１の全押し状態が検出されるまでステップＳＰ１１〜ステップＳＰ２１の各工程が繰り返し実行される。動作当初、撮影指示表示ＨＳが行われなかった場合でも、繰り返し処理中のユーザのフレーミングまたは被写体の移動等により、顔が推奨存在領域ＧＲに含まれるようになったときは、ステップＳＰ１９を介してステップＳＰ２０に移行され、撮影指示表示ＨＳが行われるようになる。
【００７６】
また、ステップＳＰ２１で、レリーズボタン１１の全押し状態が検出された場合は、ステップＳＰ２２に移行され、本撮影が行われる。
【００７７】
以上のように、本実施形態に係る撮像装置１Ａは、副撮像素子７によって取得される補助画像から特定被写体を検出する特定被写体検出部１２３と、補助画像における特定被写体の存在位置を取得する存在位置取得部１２４と、特定被写体の存在位置に基づいて、特定被写体を主被写体とした場合に推奨される推奨構図を特定する推奨構図特定部１２５と、推奨構図をユーザに知らせる所定動作の実行指示を行う指示制御部１２６とを備えている。このような撮像装置１Ａを用いて撮影を行うことによれば、ユーザは推奨構図を参考にして撮影を行うことができるので、構図に優れた撮影画像を取得できる可能性を高めることができるとともに、ユーザの撮影技術を向上させることができる。また、ユーザは推奨構図を参考にして撮影を行うことができるので、構図決定に要する時間を短縮することができる。
【００７８】
＜２．第２実施形態＞
次に、本発明の第２実施形態について説明する。第２実施形態に係る撮像装置１Ｂでは、現在の構図が推奨構図と一致するか否か、より詳細には、特定被写体としての顔領域が推奨存在領域ＧＲに存在するか否かに応じて、推奨存在領域ＧＲを示す表示ＨＲ１の表示制御が行われる。なお、撮像装置１Ｂは、推奨存在領域ＧＲを示す表示ＨＲ１の表示制御を顔領域が推奨存在領域ＧＲに存在するか否かに応じて行う点以外は、撮像装置１Ａとほぼ同様の構造および機能（図１〜図５参照）を有しており、共通する部分については同じ符号を付して説明を省略する。
【００７９】
上述のように、撮像装置１Ｂでは、現在の構図が推奨構図と一致するか否か、詳細には、顔領域が推奨存在領域ＧＲに存在するか否かに応じて、推奨存在領域ＧＲを示す表示ＨＲ１の表示制御が行われる。顔領域が推奨存在領域ＧＲに存在するか否かの判定は、構図判定部１２９（図５参照）によって行われる。
【００８０】
そして、撮像装置１Ｂの指示制御部１２６は、構図判定部１２９による判定結果に応じて、推奨構図をユーザに知らせる所定動作の実行指示を行う。具体的には、指示制御部１２６は、構図判定部１２９によって顔領域が推奨存在領域ＧＲに存在しないと判定された場合は、上記所定動作の実行指示を行い、顔領域が推奨存在領域ＧＲに存在すると判定された場合は、上記所定動作の実行指示を行わない。
【００８１】
ここで、撮像装置１Ｂの動作について説明する。図１９は、撮像装置１Ｂの動作を示すフローチャートである。
【００８２】
図１９に示されるように、撮像装置１Ｂでは、ステップＳＰ１１〜ステップＳＰ１７まで撮像装置１Ａと同様の動作がそれぞれ実行される。簡単には、ライブビュー画像となる補助画像から人物の顔が検出された後、検出された顔の顔向きと顔の存在位置とが取得される。そして、顔の向きおよび顔の存在位置に基づいて、検出された顔の配置位置として推奨される領域（推奨存在領域）が特定される（ステップＳＰ１７）。
【００８３】
次のステップＳＰ３１では、構図判定部１２９によって現在の構図が推奨構図と一致するか否かが判定される。ステップＳＰ３１において、現在の構図が推奨構図と一致しないと判定された場合、詳細には顔が推奨存在領域ＧＲに存在しないと判定された場合、動作工程はステップＳＰ３３に移行される。
【００８４】
ステップＳＰ３３では、指示制御部１２６からの指令に応じて、表示制御部１２７によって推奨存在領域ＧＲを示す表示ＨＲ１がライブビュー画像ＬＧに合成して表示される（図１３参照）。これにより、ユーザは、モニタ１２を視認することによって、顔の推奨される配置位置を把握することが可能になる。
【００８５】
一方、ステップＳＰ３１で、現在の構図が推奨構図と一致すると判定された場合、詳細には顔が推奨存在領域ＧＲに存在すると判定された場合は、推奨存在領域ＧＲを示す表示ＨＲ１の表示動作を行うことなく、動作工程はステップＳＰ３２に移行される。ステップＳＰ３２では、指示制御部１２６からの指令に応じて、表示制御部１２７によって撮影を促す撮影指示表示ＨＳがモニタ１２に表示される。
【００８６】
ステップＳＰ２１では、レリーズボタン１１の押下状態に基づいて本撮影動作を開始するか否かが判定される。レリーズボタン１１の全押し状態が検出されない場合は、動作工程はステップＳＰ１１に移行され、レリーズボタン１１の全押し状態が検出されるまでステップＳＰ１１〜ステップＳＰ１７，ステップＳＰ３１〜ステップＳＰ３３およびステップＳＰ２１の各工程が繰り返し実行される。
【００８７】
一方、レリーズボタン１１の全押し状態が検出された場合は、ステップＳＰ２２に移行され、本撮影が行われる。
【００８８】
以上のように、撮像装置１Ｂの指示制御部１２６は、構図判定部１２９によって顔領域が推奨存在領域ＧＲに存在しないと判定された場合、推奨存在領域ＧＲを示す表示ＨＲ１の表示動作の実行指示を行う。一方、指示制御部１２６は、構図判定部１２９によって顔領域が推奨存在領域ＧＲに存在すると判定された場合、推奨存在領域ＧＲを示す表示ＨＲ１の表示動作の実行指示を行わない。これによれば、顔領域が推奨存在領域ＧＲに存在する場合にも、推奨存在領域ＧＲを示す表示ＨＲ１がモニタ１２に表示される煩わしさを回避することができ、モニタ１２の視認性を向上させることができる。
【００８９】
＜３．第３実施形態＞
次に、本発明の第３実施形態について説明する。上記各実施形態の撮像装置１Ａ，１Ｂでは、推奨構図として推奨存在領域が特定されていたが、第３実施形態の撮像装置１Ｃでは、推奨構図として、推奨される撮像装置１Ｃの保持方向（「推奨保持方向」とも称する）が特定される。なお、撮像装置１Ｃは、推奨構図として撮像装置１Ｃの推奨保持方向を特定する点以外は、撮像装置１Ａとほぼ同様の構造および機能（図１〜図４参照）を有しており、共通する部分については同じ符号を付して説明を省略する。図２０は、撮像装置１Ｃの機能構成を示すブロック図である。図２１〜図２４は、顔領域を含む補助画像ＨＧを示す図である。図２５は、ライブビュー画像における表示の一態様を示す図である。
【００９０】
図２０に示されるように、撮像装置１Ｃは、撮像装置１Ａと比較して、姿勢検知センサ９１をさらに備えるとともに、全体制御部１０１において、姿勢検知部１３０を機能的にさらに実現する。
【００９１】
姿勢検知部１３０は、姿勢検知センサ９１から出力される姿勢検知信号に基づいて、撮像装置１Ｃが縦位置に構えられているか、横位置に構えられているかの撮像装置１Ｃの姿勢を検知する機能を有している。姿勢検知センサ９１としては、例えば、撮像装置１Ｃの姿勢に応じて移動可能な導電媒体を含み、導電媒体の移動により電流が変化することを利用したセンサなど、周知のセンサを採用することができる。
【００９２】
推奨構図特定部１２５は、撮像装置１Ｃの姿勢および特定被写体の存在位置に基づいて、推奨される撮像装置１Ｃの保持方向（「推奨保持方向」とも称する）を決定することによって、推奨構図を特定する。
【００９３】
具体的には、推奨構図特定部１２５は、姿勢検知部１３０で検知された撮像装置１Ｃの姿勢に基づいて、取得された補助画像が横位置で撮影されたものか或いは縦位置で撮影されたものかを特定する。そして、補助画像が横位置で取得されたものであった場合、推奨構図特定部１２５は、補助画像における顔領域の中心位置ＣＰが補助画像の上方部に存在しているとき、縦位置の姿勢で撮影される構図を推奨構図として特定する。すなわち、撮像装置１Ｃが横位置に構えられている場合、顔領域の中心位置ＣＰが補助画像の上方部に存在しているとき、縦位置の姿勢を実現する縦の保持方向（単に、「縦方向」とも称する）が撮像装置１Ｃの推奨保持方向として特定される。
【００９４】
例えば、図２１に示されるように、補助画像ＨＧにおける顔領域の中心位置ＣＰが補助画像ＨＧの上方部に存在していた場合、推奨構図特定部１２５では、撮像装置１Ｃの推奨保持方向は、縦方向であると特定される。また、図２２に示されるように、補助画像における顔領域の中心位置ＣＰが補助画像の上方部以外の場所に存在しているとき、推奨構図特定部１２５では、撮像装置１Ｃの推奨保持方向は、横方向であると特定される。なお、図２１，２２では、補助画像を縦に三等分して区切られる領域のうち、一番上の領域を補助画像の上方部とする場合が例示されており、図２１，２２中には、補助画像の上方部を区切る破線ＨＬ１が示されている。
【００９５】
一方、補助画像が縦位置で取得されたものであった場合、推奨構図特定部１２５は、補助画像における顔領域の中心位置ＣＰが補助画像の下方部に存在しているときに、横位置の姿勢で撮影される構図を推奨構図として特定する。すなわち、撮像装置１Ｃが縦位置に構えられている場合、顔領域の中心位置ＣＰが補助画像の下方部に存在しているとき、横位置の姿勢を実現する横の保持方向（単に、「横方向」とも称する）が撮像装置１Ｃの推奨保持方向として特定される。
【００９６】
例えば、図２３に示されるように、補助画像における顔領域の中心位置ＣＰが補助画像の下方部に存在していた場合、推奨構図特定部１２５では、撮像装置１Ｃの推奨保持方向は、横方向であると特定される。また、図２４に示されるように、補助画像における顔領域の中心位置ＣＰが補助画像の下方部以外の場所に存在していた場合、推奨構図特定部１２５では、撮像装置１Ｃの推奨保持方向は、縦方向であると特定される。なお、図２３，２４では、補助画像を縦に二等分して区切られる領域のうち、下の領域を補助画像の下方部とする場合が例示されており、図２３，２４中には、補助画像の下方部を区切る破線ＨＬ２が示されている。
【００９７】
指示制御部１２６は、推奨構図特定部１２５によって推奨保持方向が特定された場合、当該推奨保持方向をユーザに知らせる表示動作の実行指示を表示制御部１２７に対して行う。
【００９８】
表示制御部１２７は、指示制御部１２６からの実行指示を受けて、推奨保持方向を示す表示をライブビュー画像に合成して表示させる。例えば、推奨保持方向が縦方向であった場合、図２５に示されるように、表示制御部１２７によって、モニタ１２には推奨保持方向を示す表示ＨＶがライブビュー画像ＬＧに合成して表示される。
【００９９】
構図判定部１２９は、姿勢検知部１３０で検知された撮像装置１Ｃの姿勢と推奨保持方向とに基づいて、現在の撮像装置１Ｃの姿勢を実現する保持方向（「現在の保持方向」または「現保持方向」とも称する）が、推奨保持方向と同じであるか（一致するか）否かを判定する。
【０１００】
ここで、撮像装置１Ｃの動作について説明する。図２６は、撮像装置１Ｃの動作を示すフローチャートである。
【０１０１】
図２６に示されるように、撮像装置１ＣのステップＳＰ５１〜ステップＳＰ５４では、撮像装置１ＡのステップＳＰ１１〜ステップＳＰ１４の各動作（図１４参照）と同様の動作がそれぞれ実行される。そして、補助画像から顔領域が検出された場合、ステップＳＰ５５において検出された顔領域の存在位置が取得される。
【０１０２】
次のステップＳＰ５６では、姿勢検知部１３０によって撮像装置１Ｃの現在の姿勢（「現在姿勢」とも称する）が検知される。
【０１０３】
ステップＳＰ５７では、推奨構図特定部１２５によって、顔領域の存在位置および撮像装置１Ｃの現在姿勢に基づいて推奨保持方向が特定される。
【０１０４】
ステップＳＰ５８では、指示制御部１２６からの指令に応じて、表示制御部１２７によって推奨保持方向を示す表示ＨＶがライブビュー画像ＬＧに合成して表示される。これにより、ユーザは、モニタ１２を視認することによって、撮像装置１Ｃの推奨される保持方向を把握することが可能になる。
【０１０５】
ステップＳＰ５９では、構図判定部１２９によって現在の構図が推奨存在領域と一致するか否か、すなわち撮像装置１Ｃの現保持方向が推奨保持方向と一致するか否かが判定される。現保持方向が推奨保持方向と一致すると判定された場合は、動作工程はステップＳＰ６０に移行される。ステップＳＰ６０では、指示制御部１２６からの指令に応じて、表示制御部１２７によって撮影を促す撮影指示表示ＨＳがモニタ１２に表示される（図１８参照）。
【０１０６】
一方、ステップＳＰ５９において、現保持方向が推奨保持方向と一致しないと判定された場合は、動作工程はステップＳＰ６１に移行される。
【０１０７】
ステップＳＰ６１では、撮像装置１ＡのステップＳＰ２１と同様の動作が実行され、レリーズボタン１１の押下状態に基づいて本撮影動作を開始するか否かが判定される。レリーズボタン１１の全押し状態が検出されない場合は、動作工程はステップＳＰ５１に移行され、レリーズボタン１１の全押し状態が検出されるまでステップＳＰ５１〜ステップＳＰ６１の各工程が繰り返し実行される。レリーズボタン１１の全押し状態が検出された場合は、ステップＳＰ６２に移行され、本撮影が行われる。
【０１０８】
以上のように、撮像装置１Ｃでは、推奨構図特定部１２５によって撮像装置１Ｃの推奨保持方向が特定され、指示制御部１２６によって当該推奨保持方向をユーザに知らせる表示動作の実行指示が行われる。これによれば、ユーザは、本撮影の前に推奨保持方向を把握することができるので、構図に優れた撮影画像を取得できる可能性を高めることができるとともに、ユーザの撮影技術を向上させることができる。また、ユーザは推奨保持方向を参考にして撮影を行うことができるので、構図決定に要する時間を短縮することができる。
【０１０９】
＜４．第４実施形態＞
次に、本発明の第４実施形態について説明する。第４実施形態に係る撮像装置１Ｄでは、現在の構図が推奨構図と一致するか否か、より詳細には、現保持方向が推奨保持方向と一致するか否かの判定結果に応じて、推奨保持方向を示す表示ＨＶの表示制御が行われる。なお、撮像装置１Ｄは、推奨保持方向を示す表示ＨＶの表示制御を現保持方向が推奨保持方向と一致するか否かに応じて行う点以外は、撮像装置１Ｃとほぼ同様の構造および機能（図１〜図４，図２０参照）を有しており、共通する部分については同じ符号を付して説明を省略する。
【０１１０】
上述のように、撮像装置１Ｄでは、現在の構図が推奨構図と一致するか否か、詳細には、現保持方向が推奨保持方向と一致するか否かの判定は、構図判定部１２９（図２０参照）によって行われる。
【０１１１】
そして、撮像装置１Ｄでは、指示制御部１２６は、構図判定部１２９における判定結果に応じて、推奨構図（ここでは、推奨保持方向）をユーザに知らせる所定動作の実行指示を行う。具体的には、指示制御部１２６は、現保持方向が推奨保持方向と一致しないと判定された場合は、上記所定動作の実行指示を行い、現保持方向が推奨保持方向と一致すると判定された場合は、上記所定動作の実行指示を行わない。
【０１１２】
ここで、撮像装置１Ｄの動作について説明する。図２７は、撮像装置１Ｄの動作を示すフローチャートである。
【０１１３】
図２７に示されるように、撮像装置１Ｄでは、ステップＳＰ５１〜ステップＳＰ５７まで撮像装置１Ｃと同様の動作がそれぞれ実行される。簡単には、ライブビュー画像となる補助画像から人物の顔が検出された後、検出された顔の存在位置が取得される。そして、ステップＳＰ５６で撮像装置１Ｄの現在姿勢が検出された後、顔の存在位置および撮像装置１Ｄの現在姿勢に基づいて撮像装置１Ｄの推奨保持方向が特定される（ステップＳＰ５７）。
【０１１４】
次のステップＳＰ７１では、構図判定部１２９によって撮像装置１Ｄの現保持方向が推奨保持方向と一致するか否かが判定される。現在の構図が推奨構図と一致しないと判定された場合、詳細には現保持方向が推奨保持方向と一致しないと判定された場合、ステップＳＰ７３に移行される。
【０１１５】
ステップＳＰ７３では、指示制御部１２６からの指令に応じて、表示制御部１２７によって推奨保持方向を示す表示ＨＶがライブビュー画像に合成して表示される（図２５参照）。これにより、ユーザは、モニタ１２を視認することによって、推奨される撮像装置１Ｄの保持方向を把握することが可能になる。
【０１１６】
一方、ステップＳＰ７１で、現在の構図が推奨構図と一致すると判定された場合、詳細には現保持方向が推奨保持方向と一致すると判定された場合は、推奨保持方向を示す表示ＨＶの表示動作を行うことなく、動作工程はステップＳＰ７２に移行される。ステップＳＰ７２では、指示制御部１２６からの指令に応じて、表示制御部１２７によって撮影を促す撮影指示表示ＨＳがモニタ１２に表示される。
【０１１７】
ステップＳＰ６１では、レリーズボタン１１の押下状態に基づいて本撮影動作を開始するか否かが判定される。レリーズボタン１１の全押し状態が検出されない場合は、動作工程はステップＳＰ５１に移行され、レリーズボタン１１の全押し状態が検出されるまでステップＳＰ５１〜ステップＳＰ５７，ステップＳＰ７１〜ステップＳＰ７３およびステップＳＰ６１の各工程が繰り返し実行される。
【０１１８】
一方、レリーズボタン１１の全押し状態が検出された場合は、ステップＳＰ６２に移行され、本撮影が行われる。
【０１１９】
以上のように、撮像装置１Ｄの指示制御部１２６は、構図判定部１２９によって現保持方向が推奨保持方向と一致しないと判定された場合、推奨保持方向を示す表示ＨＶの表示動作の実行指示を行う。一方、指示制御部１２６は、構図判定部１２９によって現保持方向が推奨保持方向と一致すると判定された場合、推奨保持方向を示す表示ＨＶの表示動作の実行指示を行わない。これによれば、現保持方向が推奨保持方向と一致する場合にも、推奨保持方向を示す表示ＨＶがモニタ１２に表示される煩わしさを回避することができ、モニタ１２の視認性が向上する。
【０１２０】
＜５．第５実施形態＞
次に、本発明の第５実施形態について説明する。第５実施形態に係る撮像装置１Ｅでは、第１実施形態に係る撮像装置１Ａと第３実施形態に係る撮像装置１Ｃとを組み合わせた動作が実行される。すなわち、撮像装置１Ｅでは、推奨構図として推奨存在領域および推奨保持方向が特定される。なお、撮像装置１Ｅは、撮像装置１Ａと同様の構造（図１〜図４参照）を有するとともに、撮像装置１Ａと撮像装置１Ｃとを組み合わせた機能（図２０参照）を有しており、共通する部分については同じ符号を付して説明を省略する。図２８は、ライブビュー画像における表示の一態様を示す図である。
【０１２１】
撮像装置１Ｅの推奨構図特定部１２５（図２０）は、検出された顔の向きおよび顔の存在位置に基づいて、当該顔の配置位置として推奨される推奨存在領域が特定されるとともに、撮像装置１Ｅの姿勢および顔の存在位置に基づいて撮像装置１Ｅの推奨保持方向が特定される。
【０１２２】
指示制御部１２６は、推奨構図特定部１２５によって推奨存在領域および推奨保持方向が特定された場合、推奨存在領域および推奨保持方向をユーザに知らせる表示動作の実行指示を表示制御部１２７に対して行う。
【０１２３】
表示制御部１２７は、指示制御部１２６からの実行指示を受けて、推奨存在領域を示す表示ＨＲ１および推奨保持方向を示す表示ＨＶをライブビュー画像に合成して表示させる。
【０１２４】
例えば、図７の推奨候補領域ＫＲ１が推奨存在領域ＧＲとして選択されるとともに、推奨保持方向が縦方向であると特定された場合、図２８に示されるように、モニタ１２には推奨存在領域ＧＲを示す表示ＨＲ１、および推奨保持方向を示す表示ＨＶがライブビュー画像ＬＧに合成して表示される。
【０１２５】
構図判定部１２９は、検出された顔が推奨存在領域に存在するか否か、および現保持方向と推奨保持方向とが一致するか否かをそれぞれ判定することによって、現在の構図が推奨構図と一致するか否かを判定する。
【０１２６】
ここで、撮像装置１Ｅの動作について説明する。図２９は、撮像装置１Ｅの動作を示すフローチャートである。
【０１２７】
図２９に示されるように、撮像装置１ＥのステップＳＰ８１〜ステップＳＰ８６では、撮像装置１ＡのステップＳＰ１１〜ステップＳＰ１６（図１４参照）の各動作と同様の動作がそれぞれ実行される。簡単には、ライブビュー画像となる補助画像から人物の顔が検出された後、検出された顔の顔向きおよび顔の存在位置が取得される。
【０１２８】
次のステップＳＰ８７では、ステップＳＰ５６（図２６参照）の動作と同様の動作が実行され、撮像装置１Ｅの現在姿勢が検知される。
【０１２９】
ステップＳＰ８８では、推奨構図特定部１２５によって推奨構図の特定が行われる。具体的には、推奨存在領域および推奨保持方向がそれぞれ特定される。
【０１３０】
ステップＳＰ８９では、指示制御部１２６からの指令に応じて、表示制御部１２７によって推奨構図を示す表示が行われる。具体的には、推奨存在領域ＧＲを示す表示ＨＲ１および推奨保持方向を示す表示ＨＶがライブビュー画像ＬＧに合成して表示される（図２８参照）。これにより、ユーザは、モニタ１２を視認することによって、顔の推奨される配置位置および撮像装置１Ｅの推奨される保持方向をそれぞれ把握することが可能になる。
【０１３１】
ステップＳＰ９０では、構図判定部１２９によって現在の構図が推奨構図と一致するか否かが判定される。具体的には、検出された顔が推奨存在領域に存在するか否か、および現保持方向が推奨保持方向と一致するか否かがそれぞれ判定される。そして、検出された顔が推奨存在領域に存在すると判定されるとともに、現保持方向が推奨保持方向と一致すると判定された場合、現在の構図が推奨構図と一致すると判定され、動作工程はステップＳＰ９１に移行される。ステップＳＰ９１では、指示制御部１２６からの指令に応じて、表示制御部１２７によって撮影を促す撮影指示表示ＨＳがモニタ１２に表示される。
【０１３２】
一方、ステップＳＰ９０において、検出された顔が推奨存在領域に存在しないと判定された場合、或いは、現保持方向と推奨保持方向とが一致しないと判定された場合、現在の構図は推奨構図と一致しないと判定され、動作工程はステップＳＰ９２に移行される。
【０１３３】
ステップＳＰ９２では、レリーズボタン１１の押下状態に基づいて本撮影動作を開始するか否かが判定される。レリーズボタン１１の全押し状態が検出されない場合は、動作工程はステップＳＰ８１に移行され、レリーズボタン１１の全押し状態が検出されるまでステップＳＰ８１〜ステップＳＰ９２の各工程が繰り返し実行される。
【０１３４】
また、ステップＳＰ９２で、レリーズボタン１１の全押し状態が検出された場合は、ステップＳＰ９３に移行され、本撮影が行われる。
【０１３５】
以上のように、撮像装置１Ｅでは、推奨構図特定部１２５によって推奨存在領域および推奨保持方向がそれぞれ特定され、指示制御部１２６によって推奨存在領域および推奨保持方向をユーザに知らせる表示動作の実行指示がそれぞれ行われる。これによれば、ユーザは、本撮影の前に推奨存在領域および推奨保持方向を把握することができるので、構図に優れた撮影画像を取得できる可能性を高めることができるとともに、ユーザの撮影技術を向上させることができる。
【０１３６】
＜６．第６実施形態＞
次に、本発明の第６実施形態について説明する。第６実施形態に係る撮像装置１Ｆでは、第２実施形態に係る撮像装置１Ｂと第４実施形態に係る撮像装置１Ｄとを組み合わせた動作が実行される。すなわち、撮像装置１Ｆでは、現在の構図が推奨構図と一致するか否かに応じて、推奨構図を示す表示の表示制御が行われる。なお、撮像装置１Ｆは、推奨構図を示す表示の表示制御を現在の構図が推奨構図と一致するか否かに応じて行う点以外は、撮像装置１Ｅとほぼ同様の構造および機能（図１〜図４、図２０参照）を有しており、共通する部分については同じ符号を付して説明を省略する。
【０１３７】
現在の構図が推奨構図と一致するか否かの判定は、構図判定部１２９（図２０参照）によって行われる。そして、撮像装置１Ｆの指示制御部１２６は、構図判定部１２９における判定結果に応じて、推奨構図をユーザに知らせる所定動作の実行指示を行う。
【０１３８】
ここで、撮像装置１Ｆの動作について説明する。図３０は、撮像装置１Ｆの動作を示すフローチャートである。
【０１３９】
図３０に示されるように、撮像装置１Ｆでは、ステップＳＰ８１〜ステップＳＰ８８まで撮像装置１Ｅと同様の動作がそれぞれ実行される。簡単には、ライブビュー画像となる補助画像から人物の顔が検出された後、検出された顔の顔向きと顔の存在位置とが取得されるとともに、撮像装置１Ｆの現在姿勢が検知される。そして、ステップＳＰ８８において、推奨構図特定部１２５によって推奨構図の特定が行われ、推奨存在領域および推奨保持方向がそれぞれ特定される。
【０１４０】
次のステップＳＰ１０１では、構図判定部１２９によって現在の構図が推奨構図と一致するか否かが判定される。一致判定としては、検出された顔が推奨存在領域に存在するか否かの顔の配置位置に関する一致判定と、撮像装置１Ｆの現保持方向が推奨保持方向と一致するか否かの保持方向に関する一致判定とが、それぞれ行われる。
【０１４１】
そして、ステップＳＰ１０１において、検出された顔が推奨存在領域に存在しないと判定された場合、および／または現保持方向が推奨保持方向と一致しないと判定された場合は、現在の構図が推奨構図と一致しないと判定され、動作工程はステップＳＰ１０３に移行される。
【０１４２】
ステップＳＰ１０３では、指示制御部１２６からの指令に応じて、表示制御部１２７によって推奨構図を示す表示がライブビュー画像に合成して表示される。具体的には、ステップＳＰ１０１において、検出された顔が推奨存在領域ＧＲに存在しないと判定された場合、推奨存在領域ＧＲを示す表示ＨＲ１がライブビュー画像ＬＧに合成して表示される（図１３参照）。また、ステップＳＰ１０１において、現保持方向が推奨保持方向と一致しないと判定された場合、推奨保持方向を示す表示ＨＶがライブビュー画像ＬＧに合成して表示される（図２５参照）。また、ステップＳＰ１０１において、検出された顔が推奨存在領域に存在しないと判定されるとともに、現保持方向が推奨保持方向と一致しないと判定された場合、推奨存在領域ＧＲを示す表示ＨＲ１および推奨保持方向を示す表示ＨＶがライブビュー画像ＬＧに合成してそれぞれ表示される（図２８参照）。
【０１４３】
これにより、ユーザは、モニタ１２を視認することによって、推奨構図を把握することが可能になる。
【０１４４】
一方、ステップＳＰ１０１において、検出された顔が推奨存在領域に存在すると判定され、かつ現保持方向が推奨保持方向と一致すると判定された場合、すなわち現在の構図が推奨構図と一致すると判定された場合は、推奨構図を示す表示の表示動作を行うことなく、動作工程はステップＳＰ１０２に移行される。ステップＳＰ１０２では、指示制御部１２６からの指令に応じて、表示制御部１２７によって撮影を促す撮影指示表示ＨＳがモニタ１２に表示される。
【０１４５】
ステップＳＰ９２では、レリーズボタン１１の押下状態に基づいて本撮影動作を開始するか否かが判定される。レリーズボタン１１の全押し状態が検出されない場合は、動作工程はステップＳＰ８１に移行され、レリーズボタン１１の全押し状態が検出されるまでステップＳＰ８１〜ステップＳＰ８８，ステップＳＰ１０１〜ステップＳＰ１０３およびステップＳＰ９２の各工程が繰り返し実行される。
【０１４６】
一方、レリーズボタン１１の全押し状態が検出された場合は、ステップＳＰ９３に移行され、本撮影が行われる。
【０１４７】
以上のように、撮像装置１Ｆの指示制御部１２６は、構図判定部１２９の判定結果に応じて、推奨存在領域を示す表示ＨＲ１および推奨保持方向を示す表示ＨＶの表示動作の実行指示を制御する。これによれば、顔領域が推奨存在領域ＧＲに存在する場合に、推奨存在領域ＧＲを示す表示ＨＲ１がモニタ１２に表示されること、および現保持方向が推奨保持方向と一致する場合に、推奨保持方向を示す表示ＨＶがモニタ１２に表示されることを回避することができるので、モニタ１２の視認性が向上する。
【０１４８】
＜７．変形例＞
以上、この発明の実施の形態について説明したが、この発明は、上記に説明した内容に限定されるものではない。
【０１４９】
例えば、上記各実施形態において、特定被写体検出部１２３によって、補助画像から複数の顔が検出されてもよい。図３１は、補助画像ＨＧ上において推奨候補領域を仮想的に示した図である。図３２は、ライブビュー画像における表示の一態様を示す図である。
【０１５０】
具体的には、図３１に示されるように複数の顔領域が検出されたときは、推奨構図特定部１２５は、各顔領域の中心位置ＣＰ１，ＣＰ２に対してそれぞれ最も近い位置に存在する推奨候補領域ＫＲ１，ＫＲ４を推奨存在領域ＧＲ１，ＧＲ２としてそれぞれ選択する。そして、図３２に示されるように、表示制御部１２７によって推奨存在領域ＧＲ１，ＧＲ２を示す表示ＨＲ１，ＨＲ２がライブビュー画像ＬＧに合成してそれぞれ表示される。なお、表示の際には、顔枠ＷＫ１と推奨存在領域ＧＲ１を示す表示ＨＲ１とを青色で表示するとともに、顔枠ＷＫ２と推奨存在領域ＧＲ２を示す表示ＨＲ２とを赤色で表示する等、顔枠ＷＫと当該顔枠に関する推奨存在領域ＧＲとを同色で対応づけて表示してもよい。
【０１５１】
また、上記各実施形態では、推奨構図特定部１２５によって特定された推奨構図をユーザに知らせる所定動作として、モニタ１２への表示動作が行われていたが、これに限定されない。具体的には、推奨構図を音声によりユーザに知らせてもよい。
【０１５２】
また、上記第１実施形態、第２実施形態、第５実施形態、および第６実施形態において、検出された顔が推奨存在領域ＧＲに存在すると判定された場合、顔枠ＷＫおよび／または推奨存在領域ＧＲの表示色を変更してもよい。
【０１５３】
また、上記第１実施形態の撮像装置１Ａでは、レリーズボタン１１の全押し状態が検出された場合に、撮影動作が実行されていたが、これに限定されない。具体的には、構図判定部１２９によって検出された顔が推奨存在領域ＧＲに存在すると判定されたときに、自動的に撮影動作を開始してもよい。
【０１５４】
また、上記第１実施形態、第２実施形態、第５実施形態、および第６実施形態において、撮影領域における測距エリアＡＲ１〜ＡＲ４の位置を考慮して、推奨候補領域ＫＲ１〜ＫＲ４を設定してもよい。図３３は、補助画像ＨＧ上において測距エリアＡＲ１〜ＡＲ４を仮想的に示した図である。
【０１５５】
具体的には、図３３に示されるように、推奨候補領域ＫＲ１〜ＫＲ４は、撮影領域における測距エリアＡＲ１〜ＡＲ４を含むように設定してもよい。これによれば、フレーミング等により推奨存在領域ＧＲに顔領域を移動させた場合、顔領域に測距エリアを含むことができるので、顔領域を合焦対象としたＡＦ動作を実行することが可能になる。
【符号の説明】
【０１５６】
１Ａ，１Ｂ，１Ｃ，１Ｄ，１Ｅ，１Ｆ  撮像装置
７  副撮像素子
１２  モニタ
９１  姿勢検知センサ
１０１  全体制御部
１２３  特定被写体検出部
１２４  存在位置取得部
１２５  推奨構図特定部
１２６  指示制御部
１２７  表示制御部
１２９  構図判定部
１３０  姿勢検知部
ＨＧ  補助画像
ＬＧ  ライブビュー画像
ＣＰ，ＣＰ１，ＣＰ２  中心位置
ＧＲ，ＧＲ１，ＧＲ２  推奨存在領域
ＫＲ，ＫＲ１〜ＫＲ４  推奨候補領域
ＷＫ，ＷＫ１，ＷＫ２  顔枠
【図１】
2010213030.tif 000003
【図２】
2010213030.tif 000004
【図３】
2010213030.tif 000005
【図４】
2010213030.tif 000006
【図５】
2010213030.tif 000007
【図６】
2010213030.tif 000008
【図７】
2010213030.tif 000009
【図８】
2010213030.tif 000010
【図９】
2010213030.tif 000011
【図１０】
2010213030.tif 000012
【図１１】
2010213030.tif 000013
【図１２】
2010213030.tif 000014
【図１３】
2010213030.tif 000015
【図１４】
2010213030.tif 000016
【図１５】
2010213030.tif 000017
【図１６】
2010213030.tif 000018
【図１７】
2010213030.tif 000019
【図１８】
2010213030.tif 000020
【図１９】
2010213030.tif 000021
【図２０】
2010213030.tif 000022
【図２１】
2010213030.tif 000023
【図２２】
2010213030.tif 000024
【図２３】
2010213030.tif 000025
【図２４】
2010213030.tif 000026
【図２５】
2010213030.tif 000027
【図２６】
2010213030.tif 000028
【図２７】
2010213030.tif 000029
【図２８】
2010213030.tif 000030
【図２９】
2010213030.tif 000031
【図３０】
2010213030.tif 000032
【図３１】
2010213030.tif 000033
【図３２】
2010213030.tif 000034
【図３３】
2010213030.tif 000035